(57)【特許請求の範囲】
【請求項１】
駆動用モータによって被写体とラインセンサを相対的に移動させて被写体像を読み取る際に、被写体を照明する蛍光管に電力を供給する電源と同一の電源を使用して前記駆動用モータの駆動制御を行う画像読み取り装置におけるモータドライブ回路において、
前記電源の電圧から一定の基準電圧を生成する基準電圧生成回路と、
前記電源の電圧を分圧して比較電圧を生成する分圧回路と、
前記基準電圧生成回路によって生成された基準電圧と前記分圧回路によって生成された比較電圧とに基づいて前記電源の電圧の変動を検出する電源電圧変動検出回路と、
前記電源変動検出回路の検出結果に基づいて前記電源の電圧が変動しないように前記駆動用モータに流れる電流を制限する電流制限回路と、
を備えたことを特徴とする画像読み取り装置におけるモータドライブ回路。
【発明の詳細な説明】
【０００１】
【産業上の利用分野】
本発明は画像読み取り装置におけるモータドライブ回路に係り、特に蛍光管と駆動用モータの電源が共有されている画像読み取り装置におけるモータドライブ回路に関する。
【０００２】
【従来の技術】
ＣＣＤラインセンサ等によって写真フイルムや原稿等の被写体を撮像する場合に、被写体を照明する照明光源にはＣＣＤラインセンサと整合性の良い蛍光管がしばしば使用されている。
この場合、蛍光管を点灯させるためのインバータの電源と、フイルム等の被写体又はラインセンサ等の撮像素子を移動させる駆動用モータの電源は、これら電源の電圧が近いことや比較的ノイズが多くても性能に影響しない等の理由からしばしば共有されている。
【０００３】
図５は、共通の電源を使用して蛍光管及び駆動用モータに電力を供給する回路を示した回路図である。
同図に示すように、蛍光管１５２とモータ１５０は共通の電源ＰＳから電力が供給されるようになっている。蛍光管１５２はインバータ１５４を介して電源ＰＳに接続されており、インバータ１５４から供給される蛍光管点灯用電源によって点灯する。
【０００４】
また、モータ１５０は正転、逆転用のスイッチ素子であるトランジスタＱ１、Ｑ２、Ｑ３、Ｑ４を介して電源ＰＳに接続されている。
トランジスタＱ１、Ｑ２、Ｑ３、Ｑ４のそれぞれのエミッタ−コレクタ間にはダイオードＤ１、Ｄ２、Ｄ３、Ｄ４が接続され、モータ１５０の誘導逆起電力からトランジスタが保護されている。
【０００５】
モータ１５０は、トランジスタＱ１とＱ４又はトランジスタＱ２とＱ３を同時にＯＮ状態にすることで正転又は逆転方向に回転する。
【０００６】
【発明が解決しようとする課題】
しかしながら、被写体等の駆動用モータは始動時に一時的に大電流が流れるためにこれに伴って上記電源電圧が一時的に降下し、蛍光管の輝度の低下を招くという問題がある。更に、蛍光管の輝度が一度低下すると、輝度が安定するまでに多少の時間を要するため安定した光源輝度で被写体を撮影できないという問題がある。
【０００７】
上記問題は、電源の電源容量をモータ始動時の電流供給量以上にすれば解決されるが、モータの定常回転時における電流はモータ始動時の電流と比較して少ないため、モータの始動時のためだけに大容量の電源を装備するのは無駄である。本発明はこのような事情に鑑みてなされたもので、駆動用モータの始動時に電源の電圧が低下するのを防止し、蛍光管の輝度を一定に保持する画像読み取り装置におけるモータドライブ回路を提供することを目的とする。
【０００８】
【課題を解決するための手段】
前記目的を達成するために、請求項１に記載の発明は、駆動用モータによって被写体とラインセンサを相対的に移動させて被写体像を読み取る際に、被写体を照明する蛍光管に電力を供給する電源と同一の電源を使用して前記駆動用モータの駆動制御を行う画像読み取り装置におけるモータドライブ回路において、前記電源の電圧から一定の基準電圧を生成する基準電圧生成回路と、前記電源の電圧を分圧して比較電圧を生成する分圧回路と、前記基準電圧生成回路によって生成された基準電圧と前記分圧回路によって生成された比較電圧とに基づいて前記電源の電圧の変動を検出する電源電圧変動検出回路と、前記電源変動検出回路の検出結果に基づいて前記電源の電圧が変動しないように前記駆動用モータに流れる電流を制限する電流制限回路と、を備えたことを特徴としている。
【００１０】
【作用】
本発明によれば、電源の電圧の変動を検出し、この電源電圧が変動しないように駆動用モータに流れる電流を制限する。これによって蛍光管に安定な電圧が供給され、蛍光管の輝度が一定に保たれるようになる。
【００１１】
【実施例】
以下添付図面に従って本発明に係る画像読み取り装置におけるモータドライブ回路の好ましい実施例を詳説する。
図１は本発明が適用されるフイルムスキャナの一実施例を示すブロック図である。
【００１２】
このフイルムスキャナは、主として照明用の蛍光管１０、撮影レンズ１２、ＣＣＤラインセンサ１４、アナログ処理回路１６、デジタル信号処理回路１８、メモリ制御回路１９、画像メモリ２０、中央処理装置（ＣＰＵ）２２、モータ２４及びローラ２６を含むフイルム駆動メカ、パーフォレーションセンサ２８等を備えている。このフイルムスキャナに使用される写真フイルム３０は、例えばフイルム画像が写し込まれる領域の前端及び後端にパーフォレーション３０Ａが穿設されているものとする。
【００１３】
蛍光管１０は、その長手方向がフイルム３０の給送方向と直交するように配設され、図示しない赤外カットフィルタを介してフイルム３０を照明する。フイルム３０を透過した透過光は、単焦点の撮影レンズ１２を介してＣＣＤラインセンサ１４の受光面に結像される。尚、ＣＰＵ２２は、電源２３を入力するモータドライブ回路２５を通じてモータ２４の正転／逆転、回転／停止、パルス幅変調によるフイルム給送速度の制御を行うが、ＣＣＤラインセンサ１４によるフイルム画像の撮像中には、フイルム３０を矢印Ａ方向に一定速度で移動させる。
【００１４】
ＣＣＤラインセンサ１４はフイルム給送方向と直交する方向に配設されており、ＣＣＤラインセンサ１４の受光面に結像された画像光は、Ｒ，Ｇ，Ｂフィルタが設けられて各センサで電荷蓄積され、光の強さに応じた量のＲ，Ｇ，Ｂの信号電荷に変換される。このようにして蓄積されたＲ，Ｇ，Ｂの信号電荷は、図示しないＣＣＤ駆動回路から加えられる転送ゲートパルスによってシフトレジスタに読み出され、レジスタ転送パルスによって順次読み出される。
【００１５】
上記ＣＣＤラインセンサ１４から読み出されたＲ，Ｇ，Ｂ信号は、ＣＤＳクランプによってクランプされてアナログ処理回路１６に加えられ、ここでゲイン等が制御される。アナログ処理回路１６から出力される１コマ分のＲ，Ｇ，Ｂ信号はＡ／Ｄコンバータ１７によってデジタル信号に変換されたのち、デジタル信号処理回路１８に加えられ、白バランス、黒バランス、ネガポジ反転、ガンマ補正等のデジタル信号処理が行われる。そして、デジタル信号処理回路１８から出力されたＲ，Ｇ，Ｂ信号はメモリ制御回路１９を介して画像メモリ２０に記憶される。
【００１６】
この画像メモリ２０に記憶された１コマ分のＲ，Ｇ，Ｂ信号は、メモリ制御回路１９によって繰り返し読み出され、Ｄ／Ａ変換器３４によってアナログ信号に変換されたのち、エンコーダ３６でＮＴＳＣ方式の複合映像信号に変換されてモニタＴＶ３８に出力される。これにより、モニタＴＶ３８よってフイルム画像を見ることができるようになる。
【００１７】
蛍光管１０はインバータ４０を介して電源２３に接続されており、インバータ４０によって点灯／消灯の制御が行われる。
パーフォレーションセンサ２８は、フイルム３０のパーフォレーション３０Ａを光学的に検出するもので、その配設位置は１コマの後端のパーフォレーションを検出したとき、ネガフイルム上のコマとコマ間のネガベース部がＣＣＤラインセンサ１４による画像読取り位置となるように設定されている。このパーフォレーションセンサ２８からの出力信号は波形整形回路４８を経てＣＰＵ２２に加えられる。
【００１８】
上記実施例において、蛍光管１０とモータ２４には、共通の電源２３から電力が供給されている。このため、モータドライブ回路２５は以下に示す実施例のように構成され、フイルム撮影時に蛍光管１０の輝度が変動しないように、モータ２４に流れる電流が制限されている。
図２は、モータドライブ回路２５の第１の実施例を示した回路図である。尚、図２に示す実施例は図５の従来例を改良したものであり、同じ回路素子には同じ記号を付している。
【００１９】
同図に示すように、トランジスタＱ３のエミッタ端子に抵抗Ｒ５が接続され、この抵抗Ｒ５の両端にトランジスタＱ５のベース端子とエミッタ端子が接続されている。そして、トランジスタＱ５のコレクタ端子はトランジスタＱ３のベース端子に接続されている。また同様にトランジスタＱ４のエミッタ端子に抵抗Ｒ６が接続され、トランジスタＱ６のベース端子とエミッタ端子は抵抗Ｒ６の両端に、コレクタ端子はトランジスタＱ４のベース端子に接続されている。
【００２０】
これらトランジスタＱ５、Ｑ６はそれぞれ抵抗Ｒ５、Ｒ６の電圧を検出し、この電圧が所定電圧（およそ０．６Ｖ）に達するとＣＰＵ２２の端子▲３▼、▲４▼から出力される電流をバイパスし、これらの電流がトランジスタＱ３、Ｑ４のベース端子に入力するのを制限している。
即ち、もしモータ始動時にモータ２４に過大電流が流れると抵抗Ｒ５又はＲ６の電圧降下によってトランジスタＱ５又はＱ６がＯＮし、トランジスタＱ３又はＱ４のベース端子に入力するＨレベルの電流が減少する。これによって、トランジスタＱ３又はＱ４のコレクタ−エミッタ間に流れる電流が制限され、モータ２４に流れる過大電流が抑止される。
【００２１】
図３は、モータドライブ回路２５の第２の実施例を示した回路図である。
同図に示すように、電源２３からモータ２４への電流供給路にトランジスタＱ７のエミッタ−コレクタ間と抵抗Ｒ８が直列に接続され、トランジスタＱ７のベース端子は抵抗Ｒ７を介して電源２３の負極端子に接続されている。
また、抵抗Ｒ８の両端にトランジスタＱ８のベース端子とエミッタ端子が接続され、トランジスタＱ７のベース端子にトランジスタＱ８のコレクタ端子が接続されている。
【００２２】
電源２３からの電流が増大し始めると、抵抗Ｒ８の電圧降下によってトランジスタＱ８がＯＮされ、トランジスタＱ８のエミッタ−コレクタ間を介して抵抗Ｒ５に電流が流れる。抵抗Ｒ５にトランジスタＱ８から電流が流れると、トランジスタＱ７のベース電流は制限され、トランジスタＱ７のエミッタ−コレクタ間に流れる電流が制限される。従って、電源２３からモータ２４への過大電流は抑止される。
【００２３】
図４は、モータドライブ回路２５の第３の実施例を示した回路図である。
同図に示すように、電源２３に並列に抵抗Ｒ９と抵抗１０による分圧回路と、抵抗Ｒ１１とツェナダイオードＺＤ１による分圧回路が接続されている。これら分圧回路の分圧点はそれぞれＯＰアンプＵ１の２端子に接続されて電圧値が比較されている。尚、電源２３の電圧が安定（１２Ｖ）のときには、両分圧値は同じ値（ツェナダイオードＺＤ１のツェナ電圧）を取るようになっている。
【００２４】
一方、トランジスタＱ３とＱ４のベース−エミッタ間にはそれぞれトランジスタＱ１２とＱ１３のコレクタ−エミッタ間が接続されている。そしてこれらトランジスタＱ３とＱ４のベース端子はそれぞれ抵抗Ｒ１２と抵抗１３を介してＯＰアンプＵ１の出力端子と接続されている。
もし、モータ始動時にモータ２４に過大電流が流れて、電源２３の電圧が低下したとすると、ツェナダイオードＺＤ１の電圧は変動しないのに対して抵抗Ｒ９とＲ１０とによる分圧値は電源２３の電圧低下に伴って低下する。このときＯＰアンプＵ１はこれら２点の電圧差によって出力端子から正の電圧を出力する。これによって、トランジスタＱ１２とＱ１３がＯＮになり、トランジスタＱ３又はＱ４に流れているＨレベルの信号がバイパスされ、トランジスタＱ３、Ｑ４のベース電流が減少する。従って、トランジスタＱ３又はＱ４のコレクタ−エミッタ間に流れる電流（即ち、モータに流れる電流）が制限される。即ち、電源２３からモータ２４への過大電流は抑止される。
【００２５】
尚、ＯＰアンプＵ１の１つの入力端子には基準電圧としてツェナ電圧を入力しているが、この換わりに電源２３内で使用している基準電圧を入力するとより高精度な電源電圧の監視が可能となる。
【００２６】
【発明の効果】
以上説明したように本発明に係る画像読み取り装置におけるモータドライブ回路によると、電源から出力される電流、又は電源の電圧に基づいて電源からの電流を制限するようにしたため、モータの駆動開始時に過大電流が生じることがなくなり、蛍光管の輝度が安定に保たれる。
【図面の簡単な説明】
【図１】図１は本発明適用されたフイルムスキャナの一実施例を示すブロック図である。
【図２】図２は、モータドライブ回路の回路構成の第１の実施例を示した回路図である。
【図３】図３は、モータドライブ回路の回路構成の第２の実施例を示した回路図である。
【図４】図４は、モータドライブ回路の回路構成の第３の実施例を示した回路図である。
【図５】図５は、モータドライブ回路の回路構成の従来例を示した回路図である。
【符号の説明】
１０…蛍光管
２２…ＣＰＵ
２３…電源
２４…モータ
２５…モータドライブ回路
４０…インバータ
Ｄ１〜Ｄ４…ダイオード
Ｑ１〜Ｑ１３…トランジスタ
Ｒ１〜Ｒ１３…抵抗
ＺＤ１…ツェナダイオード
【図１】
0003663471.tif 000002
【図２】
0003663471.tif 000003
【図３】
0003663471.tif 000004
【図４】
0003663471.tif 000005
【図５】
0003663471.tif 000006